(57)【要約】【課題】  無線端末側の処理でＶｏＩＰと携帯電話との間のハンドオーバを実現するとともに、ハンドオーバの際に通話開始時の発信者側に課金する。【解決手段】  通話相手の無線端末装置に発信する際に、自装置が無線ＬＡＮネットワークに接続可能であればテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信および通話を行い、発信側または着信側の無線端末装置のＶｏＩＰ認証ＩＤがＳＩＰサーバに未登録であれば携帯電話ネットワークを介する携帯電話による発信および通話を行うとともに、それぞれの通話中に発信側の制御によりＶｏＩＰによる通話から携帯電話による通話に、あるいは携帯電話による通話からＶｏＩＰによる通話に切り替える。【選択図】        図１
2010011323.tif 000002
【特許請求の範囲】
【請求項１】
携帯電話インタフェース部および無線ＬＡＮインタフェース部を備え、携帯電話ネットワークを介する携帯電話による通話と無線ＬＡＮネットワークおよびＩＰネットワークを介するＶｏＩＰによる通話を切り替える無線端末装置において、
通話相手となる無線端末装置のＶｏＩＰ認証ＩＤと携帯電話番号とを対応付けて記憶するテーブルと、
前記無線ＬＡＮネットワークおよび前記ＩＰネットワークと接続可能であれば、前記ＩＰネットワーク上のＳＩＰサーバに自装置のＶｏＩＰ認証ＩＤを登録する手段と、
通話相手の無線端末装置に発信する際に、自装置が前記無線ＬＡＮネットワークに接続可能であれば前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信および通話を行い、発信側または着信側の無線端末装置のＶｏＩＰ認証ＩＤが前記ＳＩＰサーバに未登録であれば前記携帯電話ネットワークを介する携帯電話による発信および通話を行うとともに、それぞれの通話中に発信側の制御により前記ＶｏＩＰによる通話から前記携帯電話による通話に、あるいは前記携帯電話による通話から前記ＶｏＩＰによる通話に切り替える制御手段と
を備えたことを特徴とする無線端末装置。
【請求項２】
請求項１に記載の無線端末装置において、
前記制御手段は、前記ＶｏＩＰによる通話中に、発信側の無線端末装置から着信側の無線端末装置に対して前記携帯電話による発信を行い、着信側の無線端末装置は当該携帯電話による着信を保留し、発信側と着信側の無線端末装置間でリンギング状態を保持し、さらに、前記無線ＬＡＮの通信品質を測定して双方の通信品質情報を前記ＩＰネットワークを介して交換し、発信側および着信側の少なくとも一方の無線ＬＡＮの通信品質の劣化を検出したときに、着信側の無線端末装置が前記リンギング状態の携帯電話に応答して通話を確立するとともに前記ＶｏＩＰによる通話を切断し、前記ＶｏＩＰによる通話から前記携帯電話による通話に切り替える構成である
ことを特徴とする無線端末装置。
【請求項３】
請求項１または請求項２に記載の無線端末装置において、
前記制御手段は、前記携帯電話による通話中に、前記無線ＬＡＮネットワークに接続可能な発信者側の無線端末装置が前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信を行い、ＶｏＩＰによる通話を確立するとともに前記携帯電話による通話を切断し、前記携帯電話から前記ＶｏＩＰによる通話に切り替える構成である
ことを特徴とする無線端末装置。
【請求項４】
請求項１に記載の無線端末装置において、
前記制御手段は、前記ＶｏＩＰによる通話中に、前記無線ＬＡＮの通信品質を測定して双方の通信品質情報を前記ＩＰネットワークを介して交換し、発信側および着信側の少なくとも一方の無線ＬＡＮの通信品質の劣化を検出したときに、発信側の無線端末装置から着信側の無線端末装置に対して前記携帯電話による発信を行い、着信側の無線端末装置は当該携帯電話による着信に応答して通話を確立するとともに前記ＶｏＩＰによる通話を切断し、前記ＶｏＩＰによる通話から前記携帯電話による通話に切り替える構成である
ことを特徴とする無線端末装置。
【請求項５】
請求項４に記載の無線端末装置において、
前記制御手段は、前記ＶｏＩＰによる通話中に、前記発信側の無線端末装置に携帯電話による着信があれば着信を拒否または保留とし、前記着信側の無線端末装置に携帯電話による着信があれば、前記テーブルを参照して着信した携帯電話番号が前記発信側の無線端末装置からのものであれば応答し、前記発信側の無線端末装置からのものでなければ着信を拒否または保留とする構成である
ことを特徴とする無線端末装置。
【請求項６】
請求項４に記載の無線端末装置において、
前記制御手段は、前記携帯電話による通話中に、前記無線ＬＡＮネットワークに接続可能な発信者側の無線端末装置が前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信を行い、ＶｏＩＰによる通話を確立するとともに前記携帯電話による通話を切断し、前記携帯電話から前記ＶｏＩＰによる通話に切り替える構成である
ことを特徴とする無線端末装置。
【請求項７】
請求項２または請求項４に記載の無線端末装置において、
前記制御手段は、前記無線ＬＡＮの通信品質の劣化を検出し、前記ＶｏＩＰによる通話から前記携帯電話による通話に切り替えるとともに、前記ＳＩＰサーバから当該無線端末装置のＶｏＩＰ認証ＩＤの登録を削除する構成である
ことを特徴とする無線端末装置。
【請求項８】
携帯電話インタフェース部および無線ＬＡＮインタフェース部を備えた無線端末装置で、携帯電話ネットワークを介する携帯電話による通話と無線ＬＡＮネットワークおよびＩＰネットワークを介するＶｏＩＰによる通話を切り替える無線通信切替制御方法において、
前記無線端末装置は、通話相手となる無線端末装置のＶｏＩＰ認証ＩＤと携帯電話番号とを対応付けてテーブルに記憶し、
前記無線ＬＡＮネットワークおよび前記ＩＰネットワークと接続可能であれば、前記ＩＰネットワーク上のＳＩＰサーバに自装置のＶｏＩＰ認証ＩＤを登録し、
通話相手の無線端末装置に発信する際に、制御手段の制御により自装置が前記無線ＬＡＮネットワークに接続可能であれば前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信および通話を行い、発信側または着信側の無線端末装置のＶｏＩＰ認証ＩＤが前記ＳＩＰサーバに未登録であれば前記携帯電話ネットワークを介する携帯電話による発信および通話を行うとともに、それぞれの通話中に発信側の制御により前記ＶｏＩＰによる通話から前記携帯電話による通話に、あるいは前記携帯電話による通話から前記ＶｏＩＰによる通話に切り替える
ことを特徴とする無線通信切替制御方法。
【請求項９】
請求項８に記載の無線通信切替制御方法において、
前記制御手段は、前記ＶｏＩＰによる通話中に、
発信側の無線端末装置から着信側の無線端末装置に対して前記携帯電話による発信を行い、着信側の無線端末装置は当該携帯電話による着信を保留し、発信側と着信側の無線端末装置間でリンギング状態を保持する制御を行い、
さらに、前記無線ＬＡＮの通信品質を測定して双方の通信品質情報を前記ＩＰネットワークを介して交換し、発信側および着信側の少なくとも一方の無線ＬＡＮの通信品質の劣化を検出したときに、着信側の無線端末装置が前記リンギング状態の携帯電話に応答して通話を確立するとともに前記ＶｏＩＰによる通話を切断し、前記ＶｏＩＰによる通話から前記携帯電話による通話に切り替える制御を行う
ことを特徴とする無線通信切替制御方法。
【請求項１０】
請求項８または請求項９に記載の無線通信切替制御方法において、
前記制御手段は、前記携帯電話による通話中に、前記無線ＬＡＮネットワークに接続可能な発信者側の無線端末装置が前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信を行い、ＶｏＩＰによる通話を確立するとともに前記携帯電話による通話を切断し、前記携帯電話から前記ＶｏＩＰによる通話に切り替える制御を行う
ことを特徴とする無線通信切替制御方法。
【請求項１１】
請求項８に記載の無線通信切替制御方法において、
前記制御手段は、前記ＶｏＩＰによる通話中に、前記無線ＬＡＮの通信品質を測定して双方の通信品質情報を前記ＩＰネットワークを介して交換し、発信側および着信側の少なくとも一方の無線ＬＡＮの通信品質の劣化を検出したときに、発信側の無線端末装置から着信側の無線端末装置に対して前記携帯電話による発信を行い、着信側の無線端末装置は当該携帯電話による着信に応答して通話を確立するとともに前記ＶｏＩＰによる通話を切断し、前記ＶｏＩＰによる通話から前記携帯電話による通話に切り替える制御を行う
ことを特徴とする無線通信切替制御方法。
【請求項１２】
請求項１１に記載の無線通信切替制御方法において、
前記制御手段は、前記ＶｏＩＰによる通話中に、前記発信側の無線端末装置に携帯電話による着信があれば着信を拒否または保留とし、前記着信側の無線端末装置に携帯電話による着信があれば、前記テーブルを参照して着信した携帯電話番号が前記発信側の無線端末装置からのものであれば応答し、前記発信側の無線端末装置からのものでなければ着信を拒否または保留とする制御を行う
ことを特徴とする無線通信切替制御方法。
【請求項１３】
請求項１１に記載の無線通信切替制御方法において、
前記制御手段は、前記携帯電話による通話中に、前記無線ＬＡＮネットワークに接続可能な発信者側の無線端末装置が前記テーブルから得られる着信側の無線端末装置のＶｏＩＰ認証ＩＤが前記ＳＩＰサーバに登録されているか否かを問い合わせ、当該ＶｏＩＰ認証ＩＤが登録されていれば当該無線端末装置に対して前記無線ＬＡＮネットワークを介してＶｏＩＰによる発信を行い、ＶｏＩＰによる通話を確立するとともに前記携帯電話による通話を切断し、前記携帯電話から前記ＶｏＩＰによる通話に切り替える制御を行う
ことを特徴とする無線通信切替制御方法。
【請求項１４】
請求項９または請求項１１に記載の無線通信切替制御方法において、
前記制御手段は、前記無線ＬＡＮの通信品質の劣化を検出し、前記ＶｏＩＰによる通話から前記携帯電話による通話に切り替えるとともに、前記ＳＩＰサーバから当該無線端末装置のＶｏＩＰ認証ＩＤの登録を削除する制御を行う
ことを特徴とする無線通信切替制御方法。
【発明の詳細な説明】
【技術分野】
【０００１】
本発明は、携帯電話インタフェース部と無線ＬＡＮインタフェース部を備え、携帯電話ネットワークを介して回線交換による携帯電話と、無線ＬＡＮネットワークおよびＩＰネットワークを介してＶｏＩＰ(Voice over IP) 通話の切り替えを行う無線端末装置、および携帯電話による通話とＶｏＩＰによる通話との間の切り替え（ハンドオーバ）を行う無線通信切替制御方法に関する。
【背景技術】
【０００２】
携帯電話ネットワークと無線ＬＡＮネットワークをシームレスに接続する技術としてＶＣＣ(Voice Call Continuity) がある。このＶＣＣは、固定通信と移動通信を統合するＦＭＣ(Fixed Mobile Convergence)を実現する技術の一つであり、３ＧＰＰ(Third Generation Partnership Project)のリリース７で標準化仕様が策定されている。
【０００３】
ＶＣＣでは、携帯電話ネットワークを介する通話に回線交換を用い、無線ＬＡＮネットワークを介する通話にＶｏＩＰを用いる。ＶｏＩＰの呼制御にはＳＩＰ(Session Initiation Protcol)サーバが用いられる。このＶＣＣを用いることにより、屋外では携帯電話ネットワークを介して通話を行い、無線ＬＡＮのアクセスポイント圏内では無線ＬＡＮネットワークおよびＩＰネットワークを介して通話（ＩＰ電話）を行うことができる。これらのネットワーク間の切り替え（ハンドオーバ）はユーザが手動で行うのではなく、ＩＭＳのアプリケーションサーバとして規定された通話継続制御機能（ＣＣＣＦ：Call Continuity Control Function) を用いて自動的に行われ、また切り替える際に通話や通信が途切れることなくシームレスなハンドオーバが可能になっている（非特許文献１）。
【０００４】
また、ＶＣＣを実現するアプリケーションサーバも製品化され（非特許文献２）、ユーザが異なるネットワーク間を移動したときに、最適なネットワークを自動選択するシームレスな音声通話サービスが実現している。これにより、デュアルモード端末をもつユーザが携帯電話ネットワークと無線ＬＡＮネットワークとの間を移動しても、通話が途切れることなくハンドオーバを実現し、例えば携帯電話とＩＰ電話を使い分ける必要のないサービスが提供されている。
【非特許文献１】服部武・他編集、ワイヤレス・ブロードバンド教科書（高速ＩＰワイヤレス編）、株式会社インプレスＲ＆Ｄ、pp.330-332、2006年６月21日発行
【非特許文献２】http://www.nec.co.jp/netsoft/nc7000-vc/
【発明の開示】
【発明が解決しようとする課題】
【０００５】
ところで、従来のＶＣＣによるハンドオーバは、携帯電話ネットワークと無線ＬＡＮネットワークの双方にアクセス可能な場所に、通話継続制御機能（ＣＣＣＦ）を有するアプリケーションサーバを配置する必要がある。このようなサーバの設置は、両ネットワークのサービス提供者が同一であれば容易に対応可能であるが、両ネットワークのサービス提供者が互いに異なる場合には極めて対応が困難になる。後者の例として次のようなケースがある。
【０００６】
無線ＬＡＮのアクセスポイントはライセンスフリーで自由に設置可能なことから、展示会場や災害時などの携帯電話の圏外エリアで一時的に無線ＬＡＮネットワークを構築し、ＶｏＩＰを利用したＩＰ電話サービスを提供することがある。このとき、ユーザが携帯電話の圏内エリアに移動したらシームレスに携帯電話にハンドオーバしたいというニーズがある。しかし、それを実現するには、無線ＬＡＮネットワークの構築とともにＣＣＣＦを有するアプリケーションサーバも合わせて設置する必要があるが、一時的に構築される無線ＬＡＮネットワークではコスト面で折り合わない。また、小規模オフィス内の無線ＬＡＮネットワークでＩＰ電話を利用し、オフィス外では携帯電話を利用する形態においても同様である。
【０００７】
これに対して、ＣＣＣＦを用いずに無線端末側の処理でハンドオーバを実現すれば、コストの削減が期待される。既存のネットワークに手を加える必要がないからである。このとき、ＶｏＩＰから携帯電話方向のハンドオーバでは、ＶｏＩＰを実施しながら無線ＬＡＮの通信品質（例えば受信レベル）を測定し、通信品質の劣化をトリガとして携帯電話に切り替える。また携帯電話からＶｏＩＰ方向のハンドオーバでは、携帯電話で話しながら無線ＬＡＮとの接続をトライし、無線ＬＡＮとの接続を確立したことをトリガとしてＶｏＩＰに切り替える。このような制御を行うにあたって、前者のＶｏＩＰから携帯電話方向のハンドオーバの際に、通信品質の劣化を検出した側が携帯電話に発信するケースでは、ＶｏＩＰの発信者がそのまま携帯電話の発信者にならないときに課金の問題が生じる。
【０００８】
本発明は、ＶｏＩＰと携帯電話との間のハンドオーバにおいて、ＣＣＣＦの機能を用いずに無線端末側の処理でハンドオーバを実現するとともに、ハンドオーバの際に通話開始時の発信者側に課金することができる無線端末装置および無線通信切替制御方法を提供することを目的とする。
【課題を解決するための手段】
【０００９】
第１の発明は、携帯電話インタフェース部および無線ＬＡＮインタフェース部を備え、携帯電話ネットワークを介する携帯電話による通話と無線ＬＡＮネットワークおよびＩＰネットワークを介するＶｏＩＰによる通話を切り替える無線端末装置において、通話相手となる無線端末装置のＶｏＩＰ認証ＩＤと携帯電話番号とを対応付けて記憶するテーブルと、無線ＬＡＮネットワークおよびＩＰネットワークと接続可能であれば、ＩＰネットワーク上のＳＩＰサーバに自装置のＶｏＩＰ認証ＩＤを登録する手段と、通話相手の無線端末装置に発信する際に、自装置が無線ＬＡＮネットワークに接続可能であればテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信および通話を行い、発信側または着信側の無線端末装置のＶｏＩＰ認証ＩＤがＳＩＰサーバに未登録であれば携帯電話ネットワークを介する携帯電話による発信および通話を行うとともに、それぞれの通話中に発信側の制御によりＶｏＩＰによる通話から携帯電話による通話に、あるいは携帯電話による通話からＶｏＩＰによる通話に切り替える制御手段とを備える。
【００１０】
第１の発明における無線端末装置の制御手段Ａは、ＶｏＩＰによる通話中に、発信側の無線端末装置から着信側の無線端末装置に対して携帯電話による発信を行い、着信側の無線端末装置は当該携帯電話による着信を保留し、発信側と着信側の無線端末装置間でリンギング状態を保持し、さらに、無線ＬＡＮの通信品質を測定して双方の通信品質情報をＩＰネットワークを介して交換し、発信側および着信側の少なくとも一方の無線ＬＡＮの通信品質の劣化を検出したときに、着信側の無線端末装置がリンギング状態の携帯電話に応答して通話を確立するとともにＶｏＩＰによる通話を切断し、ＶｏＩＰによる通話から携帯電話による通話に切り替える構成である。
【００１１】
また、制御手段Ａは、携帯電話による通話中に、無線ＬＡＮネットワークに接続可能な発信者側の無線端末装置がテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信を行い、ＶｏＩＰによる通話を確立するとともに携帯電話による通話を切断し、携帯電話からＶｏＩＰによる通話に切り替える構成である。
【００１２】
第１の発明における無線端末装置の制御手段Ｂは、ＶｏＩＰによる通話中に、無線ＬＡＮの通信品質を測定して双方の通信品質情報をＩＰネットワークを介して交換し、発信側および着信側の少なくとも一方の無線ＬＡＮの通信品質の劣化を検出したときに、発信側の無線端末装置から着信側の無線端末装置に対して携帯電話による発信を行い、着信側の無線端末装置は当該携帯電話による着信に応答して通話を確立するとともにＶｏＩＰによる通話を切断し、ＶｏＩＰによる通話から携帯電話による通話に切り替える構成である。
【００１３】
さらに、制御手段Ｂは、ＶｏＩＰによる通話中に、発信側の無線端末装置に携帯電話による着信があれば着信を拒否または保留とし、着信側の無線端末装置に携帯電話による着信があれば、テーブルを参照して着信した携帯電話番号が発信側の無線端末装置からのものであれば応答し、発信側の無線端末装置からのものでなければ着信を拒否または保留とする構成である。
【００１４】
また、制御手段Ｂは、携帯電話による通話中に、無線ＬＡＮネットワークに接続可能な発信者側の無線端末装置がテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信を行い、ＶｏＩＰによる通話を確立するとともに携帯電話による通話を切断し、携帯電話からＶｏＩＰによる通話に切り替える構成である。
【００１５】
さらに、制御手段Ａ，Ｂは、無線ＬＡＮの通信品質の劣化を検出し、ＶｏＩＰによる通話から携帯電話による通話に切り替えるとともに、ＳＩＰサーバから当該無線端末装置のＶｏＩＰ認証ＩＤの登録を削除する構成である。
【００１６】
第２の発明は、携帯電話インタフェース部および無線ＬＡＮインタフェース部を備えた無線端末装置で、携帯電話ネットワークを介する携帯電話による通話と無線ＬＡＮネットワークおよびＩＰネットワークを介するＶｏＩＰによる通話を切り替える無線通信切替制御方法において、無線端末装置は、通話相手となる無線端末装置のＶｏＩＰ認証ＩＤと携帯電話番号とを対応付けてテーブルに記憶し、無線ＬＡＮネットワークおよびＩＰネットワークと接続可能であれば、ＩＰネットワーク上のＳＩＰサーバに自装置のＶｏＩＰ認証ＩＤを登録し、通話相手の無線端末装置に発信する際に、制御手段の制御により自装置が無線ＬＡＮネットワークに接続可能であればテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信および通話を行い、発信側または着信側の無線端末装置のＶｏＩＰ認証ＩＤがＳＩＰサーバに未登録であれば携帯電話ネットワークを介する携帯電話による発信および通話を行うとともに、それぞれの通話中に発信側の制御によりＶｏＩＰによる通話から携帯電話による通話に、あるいは携帯電話による通話からＶｏＩＰによる通話に切り替える。
【００１７】
第２の発明における無線通信切替方法の制御手段Ａは、ＶｏＩＰによる通話中に、発信側の無線端末装置から着信側の無線端末装置に対して携帯電話による発信を行い、着信側の無線端末装置は当該携帯電話による着信を保留し、発信側と着信側の無線端末装置間でリンギング状態を保持する制御を行い、さらに、無線ＬＡＮの通信品質を測定して双方の通信品質情報をＩＰネットワークを介して交換し、発信側および着信側の少なくとも一方の無線ＬＡＮの通信品質の劣化を検出したときに、着信側の無線端末装置がリンギング状態の携帯電話に応答して通話を確立するとともにＶｏＩＰによる通話を切断し、ＶｏＩＰによる通話から携帯電話による通話に切り替える制御を行う。
【００１８】
また、制御手段Ａは、携帯電話による通話中に、無線ＬＡＮネットワークに接続可能な発信者側の無線端末装置がテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信を行い、ＶｏＩＰによる通話を確立するとともに携帯電話による通話を切断し、携帯電話からＶｏＩＰによる通話に切り替える制御を行う。
【００１９】
第２の発明における無線通信切替方法の制御手段Ｂは、ＶｏＩＰによる通話中に、無線ＬＡＮの通信品質を測定して双方の通信品質情報をＩＰネットワークを介して交換し、発信側および着信側の少なくとも一方の無線ＬＡＮの通信品質の劣化を検出したときに、発信側の無線端末装置から着信側の無線端末装置に対して携帯電話による発信を行い、着信側の無線端末装置は当該携帯電話による着信に応答して通話を確立するとともにＶｏＩＰによる通話を切断し、ＶｏＩＰによる通話から携帯電話による通話に切り替える制御を行う。
【００２０】
また、制御手段Ｂは、ＶｏＩＰによる通話中に、発信側の無線端末装置に携帯電話による着信があれば着信を拒否または保留とし、着信側の無線端末装置に携帯電話による着信があれば、テーブルを参照して着信した携帯電話番号が発信側の無線端末装置からのものであれば応答し、発信側の無線端末装置からのものでなければ着信を拒否または保留とする制御を行う。
【００２１】
また、制御手段Ｂは、携帯電話による通話中に、無線ＬＡＮネットワークに接続可能な発信者側の無線端末装置がテーブルから得られる着信側の無線端末装置のＶｏＩＰ認証ＩＤがＳＩＰサーバに登録されているか否かを問い合わせ、当該ＶｏＩＰ認証ＩＤが登録されていれば当該無線端末装置に対して無線ＬＡＮネットワークを介してＶｏＩＰによる発信を行い、ＶｏＩＰによる通話を確立するとともに携帯電話による通話を切断し、携帯電話からＶｏＩＰによる通話に切り替える制御を行う。
【００２２】
さらに、制御手段Ａ，Ｂは、無線ＬＡＮの通信品質の劣化を検出し、ＶｏＩＰによる通話から携帯電話による通話に切り替えるとともに、ＳＩＰサーバから当該無線端末装置のＶｏＩＰ認証ＩＤの登録を削除する制御を行う。
【発明の効果】
【００２３】
本発明の無線端末装置および無線通信切替制御方法における制御手段は、発信側および着信側の無線端末装置がともに無線ＬＡＮネットワークおよびＩＰネットワークに接続可能であるか否かを判断し、ともに接続可能あればＶｏＩＰによる通話を行い、少なくとも一方が無線ＬＡＮネットワークおよびＩＰネットワークに接続不能であれば携帯電話による通話を行う。さらに、発信側の制御によりＶｏＩＰによる通話から携帯電話による通話に、あるいは携帯電話による通話からＶｏＩＰによる通話に切り替えることにより、ネットワーク上のＣＣＣＦの機能を用いずにハンドオーバが可能となり、システムコストを低減しながら確実に発信者側への課金も可能になる。
【００２４】
さらに、制御手段Ａは、ＶｏＩＰによる通話中に、発信側の無線端末装置から着信側の無線端末装置へ携帯電話による発信を行い、かつリンギング状態を保持することによって他の無線端末装置からの携帯電話による着信を排除するとともに、少なくとも一方の無線ＬＡＮの通信品質が劣化したときに、着信側の無線端末装置でリンギング状態の着信に応答することによって、ＶｏＩＰから携帯電話への通話切り替え（ハンドオーバ）を行う。また、制御手段Ａは、携帯電話による通話中に、発信側および着信側の無線端末装置がＩＰネットワークに接続可能になれば、発信側の無線端末装置が携帯電話からＶｏＩＰへの通話切り替え（ハンドオーバ）を行う。これにより、通話開始時の発信側と着信側の関係を保持したまま、双方の通信状況に基づいて最適な通信経路を選択し、かつハンドオーバによって通信品質を維持することができる。特に、ＶｏＩＰから携帯電話へのハンドオーバにおいて、発信側と着信側との間でリンギング状態を保持することにより、他の無線端末装置からの割り込みを排除してシームレスなハンドオーバが可能となる。
【００２５】
また、制御手段Ｂは、ＶｏＩＰによる通話中に、少なくとも一方の無線ＬＡＮの通信品質が劣化したときに、発信側の無線端末装置から着信側の無線端末装置へ携帯電話によって発信し、着信側の無線端末装置が応答することによって、ＶｏＩＰから携帯電話への通話切り替え（ハンドオーバ）を行う。このとき、携帯電話の着信がＶｏＩＰ通話中の相手からのものでなければ着信を拒否または保留とする。また、制御手段Ｂは、携帯電話による通話中に、発信側および着信側の無線端末装置がＩＰネットワークに接続可能になれば、発信側の無線端末装置が携帯電話からＶｏＩＰへの通話切り替え（ハンドオーバ）を行う。これにより、通話開始時の発信側と着信側の関係を保持したまま、双方の通信状況に基づいて最適な通信経路を選択し、かつハンドオーバによって通信品質を維持することができる。特に、ＶｏＩＰから携帯電話へのハンドオーバにおいて、発信側と着信側との間の発信・着信を第三者からのそれよりも優先することにより、他の無線端末装置からの割り込みを排除してシームレスなハンドオーバが可能となる。
【発明を実施するための最良の形態】
【００２６】
（第１の実施形態）
図１は、本発明の第１の実施形態におけるシステム構成例を示す。
本実施形態におけるシステム構成は、ＩＰネットワーク１１を介して無線ＬＡＮネットワーク１２，１３が相互に接続され、無線ＬＡＮネットワーク１２のアクセスポイント（ＡＰ）１４が形成する無線ＬＡＮエリア１５内の無線端末２０Ａと、無線ＬＡＮネットワーク１３のアクセスポイント（ＡＰ）１６が形成する無線ＬＡＮエリア１７内の無線端末２０Ｂとの間で、ＶｏＩＰによる通話が可能であるとともに、携帯電話基地局および携帯電話ネットワーク１９を介して回線交換による通話が可能とする。すなわち、無線端末２０Ａ，２０Ｂは、無線ＬＡＮネットワーク１２，１３およびＩＰネットワーク１１と、携帯電話ネットワーク１９にそれぞれ接続する機能を備え、ともに無線ＬＡＮエリア内にあればＶｏＩＰによる通話を行い、少なくとも一方が無線ＬＡＮエリア外にあれば携帯電話による通話を行い、後述する機能により相互にハンドオーバが可能な構成である。ＩＰネットワーク１１内には、ＶｏＩＰによる通話開始前に通話相手とのセッション確立を制御するＳＩＰサーバ１０が配置される。ここでは、無線端末２０Ａを発信側とし、無線端末２０Ｂを着信側とし、発信側の無線端末２０Ａに課金が発生する場合を想定する。
【００２７】
図２は、本発明の無線端末装置の構成例を示す。
無線端末装置２０は、アクセスポイント（ＡＰ）１４，１６を介して無線ＬＡＮネットワーク１２，１３との接続機能をもつ無線ＬＡＮインタフェース部２１と、携帯電話基地局１８を介して携帯電話ネットワーク１９との接続機能をもつ携帯電話インタフェース部２２と、無線ＬＡＮインタフェース部２１に接続される無線ＬＡＮ制御部２３と、携帯電話インタフェース部２２に接続される携帯電話制御部２４と、無線ＬＡＮ制御部２３および携帯電話制御部２４に接続されるインタフェース切替制御部２５と、通信相手の携帯電話番号とＶｏＩＰ用認証ＩＤとを対応付けて記憶し、インタフェース切替制御部２５に接続されるテーブル２６と、マイク／スピーカ等のユーザインタフェースからなり、インタフェース切替制御部２５を介して無線ＬＡＮ制御部２３または携帯電話制御部２４に接続される音声入出力部２７とにより構成される。
【００２８】
無線ＬＡＮ制御部２３は、ＶｏＩＰによる通話を行うための信号処理機能と、無線ＬＡＮ（自局とＡＰ間）の通信品質（例えば受信レベル）を測定し、通信品質に応じて自局のＶｏＩＰ認証ＩＤをＩＰネットワーク１１のＳＩＰサーバ１０に登録または削除する処理を行うとともに、ＳＩＰサーバ１０に通話相手のＶｏＩＰ認証ＩＤが登録されているか否かを確認してインタフェース切替制御部２５に通知する機能を備える。携帯電話制御部２４は、携帯電話の発着信および保留制御機能と、通話を行うための信号処理機能を備える。
【００２９】
インタフェース切替制御部２５は、無線ＬＡＮ制御部２３の通知情報に基づいて無線ＬＡＮネットワーク１２，１３およびＩＰネットワーク１１経由でＶｏＩＰによる通話と、携帯電話ネットワーク１９経由の回線交換による通話の選択制御を行うとともに、テーブル２６を参照して携帯電話番号とＶｏＩＰ用認証ＩＤを対応付け、ＶｏＩＰから携帯電話、携帯電話からＶｏＩＰへのハンドオーバ制御を行う機能を備える。なお、本発明の特徴とする機能は主にインタフェース切替制御部２５で実現され、以下に詳しく説明する。
【００３０】
（第１の実施形態の処理例１：ＶｏＩＰ→携帯電話）
図３は、本発明の第１の実施形態の処理例１を示す。ここでは、ＶｏＩＰによる通話開始手順およびＶｏＩＰから携帯電話へのハンドオーバ処理手順について図１〜図３を参照して説明する。
【００３１】
無線端末２０Ａ，２０Ｂは、インタフェース切替制御部２５および無線ＬＡＮ制御部２３の制御によりそれぞれ無線ＬＡＮを検出し、ＩＰネットワーク１１への接続が可能な場合に、ＳＩＰサーバ１０に自局のＶｏＩＰ認証ＩＤを登録する（Ｓ１）。次に、発信要求が発生した無線端末２０Ａのインタフェース切替制御部２５および無線ＬＡＮ制御部２３は、ＳＩＰサーバ１０に着信側の無線端末２０ＢのＶｏＩＰ認証ＩＤの登録状況を確認し（Ｓ２）、無線端末２０ＢのＶｏＩＰ認証ＩＤの登録が確認できたらＶｏＩＰにより発信し、無線端末２０Ｂの応答によってＶｏＩＰによる通話を行う（Ｓ３）。
【００３２】
次に、発信側の無線端末２０Ａのインタフェース切替制御部２５は、テーブル２６を参照して着信側の無線端末２０ＢのＶｏＩＰ認証ＩＤに対応する携帯電話番号を取得し、携帯電話制御部２４を制御して携帯電話による発信を行う（Ｓ４）。ここで、発信側の無線端末２０Ａまたは着信側の無線端末２０Ｂが携帯電話ネットワーク１９に接続可能でない場合（携帯電話基地局１８のエリア外や相手が話中）は、発信側の無線端末２０Ａは定期的に携帯電話による発信を繰り返す。
【００３３】
また、着信側の無線端末２０Ｂは、ＶｏＩＰ通話中に発生する携帯電話の着信に対して応答せず、保留とする（Ｓ５）。すなわち、ＶｏＩＰによる通話中は、発信側の無線端末２０Ａと着信側の無線端末２０Ｂとの間でリンギング状態が継続する。なお、携帯電話ネットワーク１９の機能によってリンギング状態が途中で切れる場合には、発信側の無線端末２０Ａが携帯電話による発信を繰り返す。一方、他の無線端末２０Ｃからの発信に対する保留・リンギング状態はユーザの任意で行われるために短時間で終了することが多い。発信側の無線端末２０Ａは、そのために話中となった場合でも定期的に携帯電話による発信を繰り返し、一旦保留・リンギング状態になればＶｏＩＰ通話中はそれを維持する。これにより、ＶｏＩＰ通話中の無線端末２０Ａ，２０Ｂは、他の無線端末２０Ｃからの携帯電話の着信に対して話中状態を形成しながら（Ｓ６）、後述するＶｏＩＰから携帯電話へのハンドオーバに備えることができる。
【００３４】
次に、ＶｏＩＰ通話中の無線端末２０Ａ，２０Ｂの無線ＬＡＮ制御部２３は、それぞれ無線ＬＡＮ（自局とＡＰ間）の通信品質（例えば受信レベル）を測定し、測定した通信品質情報をＩＰネットワーク１１を介して交換し（Ｓ７）、インタフェース切替制御部２５に通知する。着信側の無線端末２０Ｂのインタフェース切替制御部２５および携帯電話制御部２４は、発信側および着信側のいずれか一方の無線ＬＡＮの通信品質の劣化を検出した場合に、保留（リンギング状態）であった携帯電話の着信に応答（受話）し、無線端末２０Ａの携帯電話制御部２４との間で携帯電話による通話を確立する（Ｓ８）。次に、無線端末２０Ａ，２０Ｂのインタフェース切替制御部２５は、携帯電話の確立によって無線ＬＡＮ制御部２３を制御し、ＶｏＩＰによる通話を切断する（Ｓ９）。これにより、ＶｏＩＰから携帯電話へのハンドオーバが完了する。
【００３５】
さらに、通信品質が劣化した側の無線端末（ここでは２０Ｂ）の無線ＬＡＮ制御部２３は、自局のＶｏＩＰ認証ＩＤをＩＰネットワーク１１のＳＩＰサーバ１０から削除する（Ｓ10）。なお、ＳＩＰサーバ１０は、無線端末２０Ａ，２０Ｂとの通信ができない状況になれば自律的に登録を抹消する機能を有しており、仮に無線端末がすでに無線ＬＡＮエリア外に移動してＳＩＰサーバ１０との通信ができない場合でも登録抹消は行われる。
【００３６】
（第１の実施形態の処理例２：携帯電話→ＶｏＩＰ）
図４は、本発明の第１の実施形態の処理例２を示す。ここでは、携帯電話による通話開始手順および携帯電話からＶｏＩＰへのハンドオーバ処理手順について図１，図２，図４を参照して説明する。
【００３７】
無線端末２０Ａ，２０Ｂは、インタフェース切替制御部２５および無線ＬＡＮ制御部２３の制御によりそれぞれ無線ＬＡＮを検出し、ＩＰネットワーク１１への接続が可能な場合は、ＳＩＰサーバ１０に自局のＶｏＩＰ認証ＩＤを登録する（Ｓ１）。ここでは、発信側の無線端末２０ＡのみがＳＩＰサーバ１０に自局のＶｏＩＰ認証ＩＤを登録する。次に、発信要求が発生した無線端末２０Ａのインタフェース切替制御部２５および無線ＬＡＮ制御部２３は、ＳＩＰサーバ１０に着信側の無線端末２０ＢのＶｏＩＰ認証ＩＤの登録状況を確認し（Ｓ２）、無線端末２０ＢのＶｏＩＰ認証ＩＤの未登録を確認した場合は、携帯電話制御部２４を制御して携帯電話により発信し、無線端末２０Ｂの応答によって携帯電話による通話を行う（Ｓ11）。
【００３８】
なお、発信側の無線端末２０Ａが無線ＬＡＮを検出できず、ステップＳ１の処理を行っていない場合には、ステップＳ２の処理はできないので、発信要求が発生した時点でステップＳ11に移行し、携帯電話による発信を行う。
【００３９】
携帯電話中の無線端末２０Ａ，２０Ｂは、インタフェース切替制御部２５および無線ＬＡＮ制御部２３の制御によりそれぞれ無線ＬＡＮの検出を試み、ＩＰネットワーク１１への接続が可能な場合は、ＳＩＰサーバ１０に自局のＶｏＩＰ認証ＩＤを登録する（Ｓ12）。ここでは、発信側の無線端末２０ＡのＶｏＩＰ認証ＩＤはすでにＳＩＰサーバ１０に登録されているので、無線端末２０ＢのＶｏＩＰ認証ＩＤがＳＩＰサーバ１０に登録され、発信側の無線端末２０Ａのインタフェース切替制御部２５および無線ＬＡＮ制御部２３が、着信側の無線端末２０ＢのＶｏＩＰ認証ＩＤの登録を確認すると（Ｓ13）、ＶｏＩＰによる通話を開始する（Ｓ14）。次に、無線端末２０Ａ，２０Ｂのインタフェース切替制御部２５は、ＶｏＩＰ通話の確立が確認できた後に携帯電話制御部２４を制御し、携帯電話による通話を切断する（Ｓ15）。これにより、携帯電話からＶｏＩＰへのハンドオーバが完了する。
【００４０】
ＶｏＩＰによる通話中は、図３のステップＳ４に移行して携帯電話による発信を再開し、他の無線端末２０Ｃからの着信に対して話中状態を形成し、無線ＬＡＮ品質劣化に伴うＶｏＩＰから携帯電話へのハンドオーバに備える。
【００４１】
（第１の実施形態の発信側無線端末の処理手順の例）
図５は、本発明の第１の実施形態の発信側無線端末の処理手順の例を示す。
ここでは、発信側の無線端末２０Ａにおける処理手順を示すが、着信側の無線端末２０Ｂにおける処理手順もほぼ対応している。各ステップ番号は、図３および図４のそれぞれに対応する。
【００４２】
なお、ＶｏＩＰによる通話中の無線端末２０Ａ，２０Ｂは、同時に携帯電話による発信および保留（リンギング）を継続しており、ＶｏＩＰから携帯電話へのハンドオーバが行われる前にＶｏＩＰ通話が終了すれば、携帯電話の発信を終了して一連の処理を終了する。また、携帯電話による通話中の無線端末２０Ａ，２０Ｂは、常に無線ＬＡＮの状況を監視しているが、携帯電話からＶｏＩＰへのハンドオーバか行われる前に携帯電話が終了すれば、そのまま一連の処理を終了する。
【００４３】
（第２の実施形態）
第１の実施形態は、ＶｏＩＰ通話中の無線端末２０Ａ，２０Ｂに対する他の無線端末２０Ｃからの着信に対して話中状態を形成し、ＶｏＩＰ通話中の無線端末２０Ａ，２０Ｂ間でＶｏＩＰから携帯電話へのハンドオーバの際に、他の無線端末２０Ｃの割り込みを排除してシームレスにハンドオーバができるようにしている。
【００４４】
本実施形態の特徴は、ＶｏＩＰ通話中の無線端末２０Ａ，２０Ｂ間で話中状態を形成せず、携帯電話に着信があった場合にその携帯電話番号がＶｏＩＰ通話中の相手からのものであるか否かを判断し、ＶｏＩＰ通話中の相手からであれば応答し、でなければ着信拒否や保留とする。これにより、ＶｏＩＰ通話中の無線端末２０Ａ，２０Ｂ間で、無線ＬＡＮの通信品質が劣化して携帯電話へのハンドオーバが必要になったときに、発信側の無線端末２０Ａから着信側の無線端末２０Ｂへ携帯電話により発信すれば、ＶｏＩＰから携帯電話へのハンドオーバが他の無線端末２０Ｃの割り込みを排除してシームレスにハンドオーバすることができる。
【００４５】
本実施形態におけるシステム構成は、図６に示すように、第１の実施形態が適用されるシステム構成例（図１）とほぼ同じである。また、本実施形態における無線端末装置は、図２に示す構成により対応可能である。
【００４６】
（第２の実施形態の処理例１：ＶｏＩＰ→携帯電話）
図７は、本発明の第２の実施形態の処理例１を示す。ここでは、ＶｏＩＰによる通話開始手順およびＶｏＩＰから携帯電話へのハンドオーバ処理手順について図６，図２，図７を参照して説明する。
【００４７】
第１の実施形態と同様にステップＳ１，Ｓ２，Ｓ３の処理を経て、ＶｏＩＰ通話中の無線端末２０Ａ，２０Ｂのインタフェース切替制御部２５および携帯電話制御部２４は、携帯電話の着信に対してテーブル２６を参照し、その携帯電話番号と通話中のＶｏＩＰ認証ＩＤを照合し、ＶｏＩＰ通話相手の無線端末からの携帯電話であれば応答し、他の無線端末２０Ｃからの携帯電話であれば着信拒否または保留とする（Ｓ21）。着信拒否は、例えば迷惑電話ストップサービスを利用し、インタフェース切替制御部２５および携帯電話制御部２４から当該着信拒否信号を送信し、携帯電話ネットワーク１９内の当該サービス機能から他の無線端末２０Ｃに着信拒否の旨をガイダンス通知するようにしてもよい。また、着信拒否に代えて留守録転送処理を行うようにしてもよい。また、他の無線端末２０Ｃからの発信に対する保留・リンギング状態は、ユーザの任意で行われるために短時間で終了することを想定している。
【００４８】
次に、ＶｏＩＰ通話中の無線端末２０Ａ，２０Ｂの無線ＬＡＮ制御部２３は、それぞれ無線ＬＡＮ（自局とＡＰ間）の通信品質（例えば受信レベル）を測定し、測定した通信品質情報をＩＰネットワーク１１を介して交換し（Ｓ22）、インタフェース切替制御部２５に通知する。発信側の無線端末２０Ａのインタフェース切替制御部２５および携帯電話制御部２４は、発信側および着信側のいずれか一方の無線ＬＡＮの通信品質の劣化を検出した場合に、携帯電話により無線端末２０Ｂへの発信を行い（Ｓ23）、無線端末２０ＢがＶｏＩＰ通話相手の無線端末２０Ａからの着信であることを確認して応答し（Ｓ24）、無線端末２０Ａ，２０Ｂの携帯電話制御部２４間で携帯電話による通話を確立する（Ｓ25）。なお、発信側の無線端末２０Ａから携帯電話による発信の際に、他の無線端末２０Ｃによる着信があれば話中となるが、ステップＳ21に示すようにその着信に対して着信拒否または保留によって短時間のうちに話中が解消されるので、発信側の無線端末２０Ａから携帯電話による発信を繰り返すことにより話中への対処が可能である。次に、無線端末２０Ａ，２０Ｂのインタフェース切替制御部２５は、携帯電話の確立によって無線ＬＡＮ制御部２３を制御し、ＶｏＩＰによる通話を切断する（Ｓ26）。これにより、ＶｏＩＰから携帯電話へのハンドオーバが完了する。
【００４９】
さらに、通信品質が劣化した側の無線端末（ここでは２０Ｂ）の無線ＬＡＮ制御部２３は、自局のＶｏＩＰ認証ＩＤをＩＰネットワーク１１のＳＩＰサーバ１０から削除する（Ｓ27）。なお、ＳＩＰサーバ１０は、無線端末２０Ａ，２０Ｂとの通信ができない状況になれば自律的に登録を抹消する機能を有しており、仮に無線端末がすでに無線ＬＡＮエリア外に移動してＳＩＰサーバ１０との通信ができない場合でも登録抹消は行われる。
【００５０】
（第２の実施形態の処理例２：携帯電話→ＶｏＩＰ）
図８は、本発明の第２の実施形態の処理例２を示す。ここでは、携帯電話による通話開始手順および携帯電話からＶｏＩＰへのハンドオーバ処理手順を示す。
【００５１】
本実施形態における携帯電話による通話開始手順および携帯電話からＶｏＩＰへのハンドオーバ処理手順は、図４に示す第１の実施形態と同様である。ただし、携帯電話からＶｏＩＰへのハンドオーバ後における処理が異なり、本実施形態はＶｏＩＰ通話中の無線端末２０Ａ，２０Ｂで携帯電話のリンギング状態を形成せず、携帯電話の着信に対して、ＶｏＩＰ相手でなければ着信拒否や保留等の処理を行うところが異なる（Ｓ21）。
【００５２】
（第２の実施形態の発信側無線端末の処理手順の例）
図９は、本発明の第２の実施形態の発信側無線端末の処理手順の例を示す。
ここでは、発信側の無線端末２０Ａにおける処理手順を示すが、着信側の無線端末２０Ｂにおける処理手順もほぼ対応している。各ステップ番号は、図７および図８のそれぞれに対応する。
【００５３】
なお、ＶｏＩＰによる通話中の無線端末２０Ａ，２０Ｂは、ＶｏＩＰから携帯電話へのハンドオーバが行われる前にＶｏＩＰ通話が終了すれば、そのまま一連の処理を終了する。また、携帯電話による通話中の無線端末２０Ａ，２０Ｂは、常に無線ＬＡＮの状況を監視しており、携帯電話からＶｏＩＰへのハンドオーバか行われる前に携帯電話が終了すれば、そのまま一連の処理を終了する。
【図面の簡単な説明】
【００５４】
【図１】本発明の第１の実施形態におけるシステム構成例を示す図。
【図２】本発明の無線端末装置の構成例を示す図。
【図３】本発明の第１の実施形態の処理例１（ＶｏＩＰ→携帯電話）を示す図。
【図４】本発明の第１の実施形態の処理例２（携帯電話→ＶｏＩＰ）を示す図。
【図５】本発明の第１の実施形態の発信側無線端末の処理手順の例を示すフローチャート。
【図６】本発明の第２の実施形態におけるシステム構成例を示す図。
【図７】本発明の第２の実施形態の処理例１（ＶｏＩＰ→携帯電話）を示す図。
【図８】本発明の第２の実施形態の処理例２（携帯電話→ＶｏＩＰ）を示す図。
【図９】本発明の第２の実施形態の発信側無線端末の処理手順の例を示すフローチャート。
【符号の説明】
【００５５】
１０  ＳＩＰサーバ
１１  ＩＰネットワーク
１２，１３  無線ＬＡＮネットワーク
１４，１６  アクセスポイント（ＡＰ）
１５，１７  無線ＬＡＮエリア
１８  携帯電話基地局
１９  携帯電話ネットワーク
２０Ａ  無線端末（発信側）
２０Ｂ  無線端末（着信側）
２０Ｃ  他の無線端末
２１  無線ＬＡＮインタフェース部
２２  携帯電話インタフェース部
２３  無線ＬＡＮ制御部
２４  携帯電話制御部
２５  インタフェース切替制御部
２６  テーブル
２７  音声入出力部
【図１】
2010011323.tif 000003
【図２】
2010011323.tif 000004
【図３】
2010011323.tif 000005
【図４】
2010011323.tif 000006
【図５】
2010011323.tif 000007
【図６】
2010011323.tif 000008
【図７】
2010011323.tif 000009
【図８】
2010011323.tif 000010
【図９】
2010011323.tif 000011